(57)【要約】【課題】運動を継続することを利用者に強く意識付けることのできる認証制御システム及び認証装置を提供する。【解決手段】利用者ＩＤを保持する鍵１１０と、利用者ＩＤを鍵１１０から取得する情報取得部１０２と、利用者ＩＤに基づいて扉の使用可否を認証する認証処理部１０４と、認証処理部１０４により使用可であると認証された場合に扉が使用可能状態となるように制御する開錠モータ制御部１０６とを備える認証制御システムであって、利用者の活動状況を計測する活動状況計測部１１１と、活動状況を活動状況計測部１１１から取得する情報取得部１０２とを更に備える。認証処理部１０４は、利用者ＩＤと活動状況とに基づいて扉の使用可否を認証する。【選択図】図２
2011076193.tif 000002
【特許請求の範囲】
【請求項１】
利用者の識別情報を保持する認証媒体と、
前記識別情報を前記認証媒体から取得する識別情報取得部と、
前記識別情報に基づいて被制御装置の使用可否を認証する認証処理部と、
前記認証処理部により使用可であると認証された場合に前記被制御装置が使用可能状態となるように制御する制御部とを備える認証制御システムであって、
前記利用者の活動状況を計測する活動状況計測部と、
前記活動状況を活動状況計測部から取得する活動状況取得部とを更に備え、
前記認証処理部は、前記識別情報と前記活動状況とに基づいて前記被制御装置の使用可否を認証することを特徴とする認証制御システム。
【請求項２】
請求項１記載の認証制御システムにおいて、
前記認証処理部は、前記活動状況が所定の活動量を上回る場合、又は前記活動状況が所定の活動量を上回らない場合でも前記活動状況の変化が所定の条件を満たしたときは、前記被制御装置が使用可であると認証する
ことを特徴とする認証制御システム。
【請求項３】
請求項１記載の認証制御システムにおいて、
前記活動状況が原因で前記被制御装置が使用不可であると認証された場合に前記被制御装置が使用可であると認証されるための条件を提示する提示部を更に備える
ことを特徴とする認証制御システム。
【請求項４】
請求項１記載の認証制御システムにおいて、
前記活動状況計測部は、前記活動状況取得部に前記活動状況を送信する送信機能を有する携帯型の装置である
ことを特徴とする認証制御システム。
【請求項５】
請求項４記載の認証制御システムにおいて、
前記活動状況計測部は、前記認証媒体と一体化している
ことを特徴とする認証制御システム。
【請求項６】
請求項１乃至５記載のいずれか１項に記載の認証制御システムにおいて、
前記認証処理部が前記活動状況を認証処理に用いなくするための解除指示を出す解除指示部を更に備える
ことを特徴とする認証制御システム。
【請求項７】
利用者の識別情報を保持する認証媒体から前記識別情報を取得する識別情報取得部と、
前記識別情報に基づいて被制御装置の使用可否を認証する認証処理部と、
前記認証処理部により使用可であると認証された場合に前記被制御装置が使用可能状態となるように制御する制御部とを備える認証装置であって、
前記利用者の活動状況を計測する活動状況計測部から前記活動状況を取得する活動状況取得部を更に備え、
前記認証処理部は、前記識別情報と前記活動状況とに基づいて前記被制御装置の使用可否を認証することを特徴とする認証装置。
【発明の詳細な説明】
【技術分野】
【０００１】
本発明は、健康管理を支援するシステムに用いられる認証制御システム及び認証装置に関する。
【背景技術】
【０００２】
近年、日々の健康増進につながる運動量を計測することで、健康管理を支援するシステムが注目されている。例えば、特許文献１には、図９に示すように、健康測定器９０２と健康管理サーバ９０１とから構成されるヘルスケアシステムが開示されている。健康計測器９０２は、モーションセンサや心拍センサによりユーザ９０４の運動量を計測し、健康管理サーバ９０１に送信する。健康管理サーバ９０１は、ユーザ９０４ごとに運動量を記録するユーザデータベースと、ユーザ９０４の健康状態に関するアドバイスを格納するアドバイスデータベースとを備える。そして、ユーザ９０４の健康状態を定期的に測定・判断し、健康状態の改善が見られたときなど適切な機会に健康食品などの報償やアドバイスをユーザ９０４に与える。これにより、健康管理を継続することのインセンティブをユーザ９０４に与えることができる。
【先行技術文献】
【特許文献】
【０００３】
【特許文献１】特開２００８−３１０６０６号公報
【発明の概要】
【発明が解決しようとする課題】
【０００４】
しかしながら、前記従来のヘルスケアシステムによると、運動を継続することを利用者に強く意識付けることが難しい場合がある。すなわち、健康食品などの報償やアドバイスが与えられなくても、通常は、利用者の日常生活に大きく影響しない。また、報償やアドバイスを与える方法では、回数を重ねると利用者が飽きてしまい、効果が継続しにくいという側面もある。
【０００５】
本発明は上記課題を解決するためになされたものであり、その目的は、運動を継続することを利用者に強く意識付けることのできる認証制御システム及び認証装置を提供することである。
【課題を解決するための手段】
【０００６】
本発明は、利用者の識別情報を保持する認証媒体と、前記識別情報を前記認証媒体から取得する識別情報取得部と、前記識別情報に基づいて被制御装置の使用可否を認証する認証処理部と、前記認証処理部により使用可であると認証された場合に前記被制御装置が使用可能状態となるように制御する制御部とを備える認証制御システムであって、前記利用者の活動状況を計測する活動状況計測部と、前記活動状況を活動状況計測部から取得する活動状況取得部とを更に備える。前記認証処理部は、前記識別情報と前記活動状況とに基づいて前記被制御装置の使用可否を認証することを特徴とする。
【０００７】
また、本発明において、前記認証処理部は、前記活動状況が所定の活動量を上回る場合、又は前記活動状況が所定の活動量を上回らない場合でも前記活動状況の変化が所定の条件を満たしたときは、前記被制御装置が使用可であると認証してもよい。
【０００８】
また、本発明は、前記活動状況が原因で前記被制御装置が使用不可であると認証された場合、前記被制御装置が使用可であると認証されるための条件を提示する提示部を更に備えてもよい。
【０００９】
また、本発明において、前記活動状況計測部は、前記活動状況取得部に前記活動状況を送信する送信機能を有する携帯型の装置であってもよい。
【００１０】
また、本発明において、前記活動状況計測部は、前記認証媒体と一体化していてもよい。
【００１１】
また、本発明は、前記認証処理部が前記活動状況を認証処理に用いなくするための解除指示を出す解除指示部を更に備えてもよい。
【００１２】
本発明は、利用者の識別情報を保持する認証媒体から前記識別情報を取得する識別情報取得部と、前記識別情報に基づいて被制御装置の使用可否を認証する認証処理部と、前記認証処理部により使用可であると認証された場合に前記被制御装置が使用可能状態となるように制御する制御部とを備える認証装置であって、前記利用者の活動状況を計測する活動状況計測部から前記活動状況を取得する活動状況取得部を更に備える。前記認証処理部は、前記識別情報と前記活動状況とに基づいて前記被制御装置の使用可否を認証することを特徴とする。
【発明の効果】
【００１３】
本発明に係る認証制御システム及び認証装置によれば、識別情報と活動状況とに基づいて被制御装置の使用可否が認証される。これにより、活動状況が所定の条件を満たさない場合は被制御装置を使用不可とすることができ、運動を継続することを利用者に強く意識付けることが可能となる。
【００１４】
また、本発明によれば、活動状況が所定の活動量を上回る場合、又は活動状況が所定の活動量を上回らない場合でも活動状況の変化が所定の条件を満たしたときは、被制御装置が使用可であると認証される。これにより、当日の活動状況が目標に達していない場合でも過去の活動状況から努力が認められるときは、例外を認めて被制御装置を使用可とすることが可能となる。
【００１５】
また、本発明によれば、活動状況が原因で被制御装置が使用不可であると認証がされた場合に被制御装置が使用可であると認証されるための条件が提示される。これにより、被制御装置が使用可となるまで運動を継続することを利用者に促すことが可能となる。
【００１６】
また、本発明によれば、活動状況計測部を携帯型の装置として実現することができる。これにより、利用者は、目標に達するためにその場で対応することが可能となる。
【００１７】
また、本発明によれば、活動状況計測部と認証媒体とが一体化している。これにより、一度の操作で利用者ＩＤと活動状況を送信することができ、操作性に優れたシステムを構築することが可能となる。
【００１８】
また、本発明によれば、認証処理部が活動状況を認証処理に用いなくするための解除指示を出すことができる。これにより、体調が悪い場合などは活動状況にかかわらず被制御装置を使用することが可能となる。
【図面の簡単な説明】
【００１９】
【図１】本発明の第１実施形態における認証制御システムの適用場面を示す図である。
【図２】本発明の第１実施形態における鍵と認証ユニットのブロック図である。
【図３】本発明の第１実施形態における認証ルールを示す図である。
【図４】本発明の第１実施形態における認証制御システムの動作を示すフローチャートである。
【図５】本発明の第２実施形態における認証制御システムの適用場面を示す図である。
【図６】本発明の第２実施形態における鍵と認証ユニットと解除制御サーバのブロック図である。
【図７】本発明の第２実施形態における認証ルールを示す図である。
【図８】本発明の第２実施形態における認証制御システムの動作を示すフローチャートである。
【図９】従来のヘルスケアシステムのブロック図である。
【発明を実施するための形態】
【００２０】
以下、本発明の実施形態について図面を参照して詳細に説明する。
【００２１】
（第１実施形態）
図１は、本発明の第１実施形態における認証制御システムの適用場面を示す図である。この認証制御システムは、利用者の健康管理を支援するシステムに用いられる認証制御システムであって、図１に示すように、鍵１１０と、認証ユニット１００と、施錠ユニット１２０とを備えている。鍵１１０は、玄関の扉１３０の鍵であり、利用者が所有する。認証ユニット１００は、鍵１１０が鍵穴１０１に挿入されると起動して扉１３０の開錠可否を認証するユニットである。施錠ユニット１２０は、扉１３０に設けられたユニットであり、認証ユニット１００からの施錠・開錠信号に基づいてモータを駆動し、扉１３０を施錠・開錠するユニットである。
【００２２】
図２は、本発明の第１実施形態における鍵１１０と認証ユニット１００のブロック図である。鍵１１０は、本発明に係る認証媒体の一例であり、活動状況計測部１１１と利用者ＩＤ保持部１１２とを備えている。活動状況計測部１１１は、加速度センサにより利用者の活動状況を計測する歩数計等である。利用者ＩＤ保持部１１２は、利用者の識別情報である利用者ＩＤを保持するＩＣチップ等である。ここでは、鍵１１０には時計が内蔵されており、利用者の活動状況（歩数）が日単位でＩＣチップに記録されるものとして説明する。認証ユニット１００は、本発明に係る認証装置の一例であり、鍵穴１０１（図示せず）と、情報取得部１０２と、表示部１０３と、認証処理部１０４と、認証ルール保持部１０５と、開錠モータ制御部１０６とを備えている。鍵穴１０１に鍵１１０が挿入されると認証処理部１０４が起動するようになっている。情報取得部１０２は、本発明に係る識別情報取得部及び活動状況取得部の一例であり、鍵１１０に内蔵されたＩＣチップと通信して利用者ＩＤと歩数とを取得する。表示部１０３は、本発明に係る提示部の一例であり、認証処理部１０４の認証処理結果等を表示する。認証処理部１０４は、情報取得部１０２により取得された利用者ＩＤと歩数とに基づいて扉１３０の開錠可否を認証する。認証ルール保持部１０５は、認証処理部１０４が認証処理をする際に使用する認証ルール１０５ａを保持している。ここでは、図３に示すように、スクリプト言語で表現された認証ルール１０５ａが認証ルール保持部１０５に保持されているものとして説明する。開錠モータ制御部１０６は、本発明に係る制御部の一例であり、認証処理部１０４により使用可の認証がされた場合に扉１３０が使用可能状態となるように制御する。
【００２３】
図４は、本発明の第１実施形態における認証制御システムの動作を示すフローチャートである。以下、図４に従って本認証制御システムの構成をその動作とともに説明する。
【００２４】
まず、利用者が鍵１１０を鍵穴１０１に挿入すると認証処理部１０４が起動する。認証処理部１０４は、認証ルール保持部１０５から認証ルール１０５ａを得るとともに、情報取得部１０２に利用者ＩＤと歩数の取得要求を出す。これにより、情報取得部１０２は、鍵１１０と通信して利用者ＩＤと歩数を取得し（Ｓ１０１）、取得した利用者ＩＤと歩数を認証処理部１０４に渡す。ここでは、利用者ＩＤとして２００１が取得され、３日間の歩数として「今日：１０２００、昨日：０、一昨日：０」が取得されたとする。
【００２５】
次いで、認証処理部１０４は、利用者ＩＤが２００１であるため、利用者は父親であると判断し（Ｓ１０２）、表示部１０３に「お父さんへ」というメッセージを表示させる（Ｓ１０４）。また、今日の歩数が１０２００であるため、今日の歩数は目標の１００００以上であると判断し（Ｓ１０５）、表示部１０３に「今日の目標を達成しました」というメッセージを表示させるとともに（Ｓ１０６）、開錠モータ制御部１０６に開錠指示を出す（Ｓ１０７）。
【００２６】
これにより、開錠モータ制御部１０６は、施錠ユニット１２０に開錠信号を出し、施錠ユニット１２０は、モータを駆動して扉１３０を開錠する。このように、当日の歩数が目標に達している場合は扉１３０を開錠して入室することができる。
【００２７】
翌日、鍵１１０を用いて開錠しようとしたが、その日の歩数が目標に達していなかったとする。以下、この場合の動作を図４に従って説明する。
【００２８】
まず、利用者が鍵１１０を鍵穴１０１に挿入すると、前記と同様の動作で鍵１１０から利用者ＩＤと歩数が取得される（Ｓ１０１）。ここでは、利用者ＩＤとして２００１が取得され、３日間の歩数として「今日：９１００、昨日：１０２００、一昨日：０」が取得されたとする。その後、表示部１０３に「お父さんへ」というメッセージが表示されるまでの動作も前記と同様である（Ｓ１０２→Ｓ１０４）。
【００２９】
次いで、認証処理部１０４は、今日の歩数が９１００であるため、今日の歩数は目標の１００００以下であると判断し（Ｓ１０５）、昨日と一昨日の歩数がいずれも１００００以上であるか判断する（Ｓ１０８）。ここで、昨日の歩数は１０２００で１００００以上であるが、一昨日の歩数は０で１００００以上ではない（Ｓ１０８：ＮＯ）。そこで、今日の歩数である９１００が目標の１００００に何歩不足するか計算し、得られた値「９００」を「変数：不足」に代入するとともに（Ｓ１１１）、表示部１０３に「今日の目標が未達成です。あと９００歩足りません。もう少し頑張りましょう」というメッセージを表示させる（Ｓ１１２）。
【００３０】
このように、当日の歩数が目標に達していない場合は扉１３０が開錠されず、目標に対して不足している歩数「９００」が表示部１０３に表示される。そこで、利用者は、この不足している歩数だけ家の近所を歩いた後、再び鍵１１０を鍵穴１０１に挿入する。以下、その際の動作を図４に従って説明する。
【００３１】
まず、利用者が鍵１１０を鍵穴１０１に挿入すると、前記と同様の動作で鍵１１０から利用者ＩＤと歩数が取得される（Ｓ１０１）。ここでは、利用者ＩＤとして２００１が取得され、３日間の歩数として「今日：１００１０、昨日：１０２００、一昨日：０」が取得されたとする。その後、表示部１０３に「お父さんへ」というメッセージが表示されるまでの動作も前記と同様である（Ｓ１０２→Ｓ１０４）。
【００３２】
次いで、認証処理部１０４は、今日の歩数が１００１０であるため、今日の歩数は目標の１００００以上であると判断する（Ｓ１０５）。その後、表示部１０３に「今日の目標を達成しました」というメッセージが表示され、扉１３０が開錠するまでの動作は前記と同様である（Ｓ１０６→Ｓ１０７）。
【００３３】
このように、当日の歩数が目標に達していない場合でも、目標に対する不足分が表示部１０３に表示されるので、利用者は、その場で健康活動のやりなおしをして目標に対する不足分を補うことができる。
【００３４】
更に翌日、鍵１１０を用いて開錠しようとしたが、その日の歩数が目標に達していなかったとする。以下、この場合の動作を図４に従って説明する。
【００３５】
まず、利用者が鍵１１０を鍵穴１０１に挿入すると、前記と同様の動作で鍵１１０から利用者ＩＤと歩数が取得される（Ｓ１０１）。ここでは、利用者ＩＤとして２００１が取得され、３日間の歩数として「今日：８２００、昨日：１００１０、一昨日：１０２００」が取得されたとする。その後、表示部１０３に「お父さんへ」というメッセージが表示されるまでの動作も前記と同様である（Ｓ１０２→Ｓ１０４）。
【００３６】
次いで、認証処理部１０４は、今日の歩数が８２００であるため、今日の歩数は目標の１００００以下であると判断し（Ｓ１０５）、昨日と一昨日の歩数がいずれも１００００以上であるか判断する（Ｓ１０８）。ここで、昨日の歩数は１０１００で１００００以上であり、一昨日の歩数は１０２００で１００００以上である（Ｓ１０８：ＹＥＳ）。そこで、表示部１０３に「今日の目標が未達成ですが、ここ数日達成していたので、今日は特別に開錠します」というメッセージを表示させるとともに（Ｓ１０９）、開錠モータ制御部１０６に開錠指示を出す（Ｓ１１０）。これにより、扉１３０が開錠するまでの動作は前記と同様である。
【００３７】
このように、当日の歩数が目標に達していない場合でも、過去の歩数が連続して目標に達しているなど過去の活動状況の履歴から努力が認められるときは、例外を認めて扉１３０を開錠することができる。
【００３８】
以上詳細に説明したように、第１実施形態における認証制御システムによれば、利用者ＩＤと歩数とに基づいて扉１３０の開錠可否が認証される。これにより、歩数が目標に達していない場合は扉１３０を開錠しないようにすることができ、運動を継続することを利用者に強く意識付けることが可能となる。
【００３９】
また、当日の歩数が目標の歩数を上回る場合、又は当日の歩数が目標の歩数を上回らない場合でも昨日の歩数と一昨日の歩数がいずれも目標の歩数を上回るときは、扉１３０が開錠される。これにより、当日の歩数が目標に達していない場合でも過去の活動状況から努力が認められるときは、例外を認めて扉１３０を開錠することが可能となる。
【００４０】
また、歩数が原因で扉１３０が開錠されなかった場合に扉１３０が開錠されるための条件が提示される。これにより、扉１３０が開錠されるまで運動を継続することを利用者に促すことが可能となる。
【００４１】
また、活動状況計測部１１１を携帯型の装置として実現することができる。これにより、利用者は、目標に達するためにその場で対応することが可能となる。
【００４２】
また、活動状況計測部１１１と鍵１１０とが一体化している。これにより、一度の操作で利用者ＩＤと歩数を送信することができ、操作性に優れたシステムを構築することが可能となる。
【００４３】
なお、ここでは、玄関の扉１３０（より具体的には、玄関の扉１３０に設けられた施錠ユニット１２０）を被制御装置として例示したが、本発明はこれに限定されるものではない。すなわち、被制御装置としては、冷蔵庫の扉など、利用者が日常的に用いる各種扉を採用することができる。例えば、冷蔵庫の扉を被制御装置とした場合は、目標の歩数に達するまでビール等の飲料を飲めないように制御することも可能である。
【００４４】
また、ここでは、利用者の活動状況として歩数を例示しているが、本発明はこれに限定されるものではない。すなわち、心拍計により計測した心拍数など、利用者の活動状況を示す値であれば、前記と同様の効果を得ることができる。
【００４５】
また、ここでは、鍵１１０が活動状況計測部１１１を内蔵していることとしているが、本発明はこれに限定されるものではない。すなわち、活動状況計測部１１１は、利用者の活動状況を認証処理部１０４に送信することができれば、鍵１１０に内蔵されていなくても、前記と同様の効果を得ることができる。
【００４６】
（第２実施形態）
ところで、体調が悪い場合などは無理に活動しないことも健康管理のうえでは重要である。そこで、本実施形態では、体調が悪い場合などは活動状況にかかわらず扉を開錠することとしている。以下、本実施形態を前記第１実施形態と異なる点を中心に説明する。
【００４７】
図５は、第２実施形態における認証制御システムの適用場面を示す図である。この認証制御システムは、前記第１実施形態における構成に加え、解除問い合わせ部１０７と解除制御サーバ３００と携帯端末３１０とを備えている。携帯端末３１０は、認証制御システムの解除を指示する旨の電子メール（以下「解除指示メール」という）を解除制御サーバ３００に送信する。解除制御サーバ３００は、解除指示メールを携帯端末３１０から受信し、その解除指示状況を管理している。解除問い合わせ部１０７は、認証ユニット１００上の処理部であり、ネットワークを介して解除制御サーバ３００に解除指示が出ているか問い合わせる。
【００４８】
図６は、本発明の第２実施形態における鍵１１０と認証ユニット１００と解除制御サーバ３００のブロック図である。解除制御サーバ３００は、メール受信部３０１と、解除指示制御部３０２と、解除指示保持部３０３と、解除応答部３０４とを備えている。メール受信部３０１は、携帯端末３１０から解除指示メールを受信する。解除指示保持部３０３は、メール受信部３０１により受信された解除指示メールを保持する。解除応答部３０４は、認証ユニット１００からの解除問い合わせに応答する。解除指示制御部３０２は、解除応答部３０４が解除問い合わせを受けると、この解除指示が解除指示保持部３０３に保持されているか調査し、その調査結果を解除応答部３０４に返す。認証ユニット１００は、前記第１実施形態における構成に加え、解除問い合わせ部１０７を備えている。解除問い合わせ部１０７は、認証処理部１０４から問い合わせ指示を受けると、解除指示が出ているか解除応答部３０４に問い合わせる。認証ルール保持部１０５は、前記第１実施形態と同様、スクリプト言語で表現された認証ルールを保持しているが、ここでは、図７に示すような認証ルール１０５ｂが保持されているものとして説明する。
【００４９】
図８は、本発明の第２実施形態における認証制御システムの動作を示すフローチャートである。以下、図８に従って本認証制御システムの構成をその動作とともに説明する。
【００５０】
ここでは、利用者は体調が悪く目標を達成できそうにないので、認証制御システムを解除するよう妻に依頼した場面を想定する。この場合、妻は、携帯端末３１０を用いて解除制御サーバ３００に解除指示メールを送信する。これにより、解除制御サーバ３００の解除指示保持部３０３に解除指示メールが保持されることになる。
【００５１】
このような状況で利用者が鍵１１０を鍵穴１０１に挿入すると、前記第１実施形態と同様の動作で鍵１１０から利用者ＩＤと歩数が取得される（Ｓ２０１）。ここでは、利用者ＩＤとして２００１が取得され、３日間の歩数として「今日：２０００、昨日：１００１０、一昨日：１２０００」が取得されたとする。その後、表示部１０３に「お父さんへ」というメッセージが表示されるまでの動作も前記と同様である（Ｓ２０２→Ｓ２０４）。
【００５２】
次いで、認証処理部１０４は、今日の歩数が２０００であるため、今日の歩数は目標の１００００以下であると判断し（Ｓ２０５）、この判断結果を解除問い合わせ部１０７に通知する。解除問い合わせ部１０７は、利用者ＩＤが２００１の利用者について解除指示が出ているか解除応答部３０４に問い合わせる（Ｓ２０８）。解除応答部３０４が解除問い合わせを受けると、解除指示制御部３０２は、この解除指示が解除指示保持部３０３に保持されているか調査し（Ｓ２０９）、その調査結果を解除応答部３０４に返す。ここでは、解除指示が出されている旨の調査結果が解除応答部３０４に返されることになる。
【００５３】
この調査結果は、解除問い合わせ部１０７を介して認証処理部１０４に通知される。そこで、認証処理部１０４は、表示部１０３に「今日の目標は未達成ですが、解除指示が出ているので特別に開錠します」というメッセージを表示させるとともに（Ｓ２１０）、開錠モータ制御部１０６に開錠指示を出す（Ｓ２１１）。これにより、扉１３０が開錠するまでの動作は前記と同様である。
【００５４】
以上詳細に説明したように、第２実施形態における認証制御システムによれば、認証処理部１０４が活動状況を認証処理に用いなくするための解除指示を出すことができる。これにより、体調が悪い場合などは活動状況にかかわらず扉１３０を開錠することが可能となる。
【００５５】
なお、ここでは、携帯端末３１０から解除制御サーバ３００に解除指示メールを送信することとしているが、解除指示を出す仕組みはこれに限定されるものではない。例えば、携帯端末３１０に搭載されたウェブブラウザから解除制御サーバ３００に解除指示を出す仕組みを採用することも可能である。
【符号の説明】
【００５６】
１１０  鍵
１１１  活動状況計測部
１１２  利用者ＩＤ保持部
１００  認証ユニット
１０１  鍵穴
１０２  情報取得部
１０３  表示部
１０４  認証処理部
１０５  認証ルール保持部
１０６  開錠モータ制御部
１２０  施錠ユニット
１３０  扉
【図１】
2011076193.tif 000003
【図２】
2011076193.tif 000004
【図３】
2011076193.tif 000005
【図４】
2011076193.tif 000006
【図５】
2011076193.tif 000007
【図６】
2011076193.tif 000008
【図７】
2011076193.tif 000009
【図８】
2011076193.tif 000010
【図９】
2011076193.tif 000011